(57)【特許請求の範囲】
【請求項１】
用紙に画像を形成する画像形成部及びその画像形成部に用紙を供給する搬送部が内蔵された装置筐体と、
前記装置筐体の側面に、ほぼ水平軸線の周りに回転可能に設けられ、前記側面から外方に延びた開状態と前記側面に沿った閉状態との間で回転可能な第１トレイと、
前記側面に、前記第１トレイの前記水平軸線よりも上方でかつその水平軸線とほぼ平行な水平軸線の周りに回転可能に設けられ、前記第１トレイよりも上方で前記側面から外方に延びた開状態と前記側面に沿った閉状態との間で回転可能な第２トレイとを備え、
前記第１トレイ及び前記第２トレイは、ストッパによってそれぞれの開状態が保持された状態で前記画像形成部に供給される用紙を載置することが可能であり、
前記第１トレイは前記第２トレイよりも多くの枚数の用紙を積載可能であり、
前記第２トレイは、前記閉状態で、前記閉状態にある前記第１トレイよりも前記装置筐体の内方側に位置し、
さらに、前記第１トレイのストッパは、前記第１トレイを開閉するための把持部であることを特徴とする画像形成装置。
【請求項２】
前記搬送部は、前記装置筐体内のうち前記閉状態の前記第２トレイを挟んで前記側面と反対側に配置され、
前記装置筐体内には、前記第１トレイの開状態においてその第１トレイの延長方向に前記搬送部に向けて延びる第１給紙支持部、及び前記第２トレイの開状態においてその第２トレイの延長方向に前記搬送部に向けて延びる第２給紙支持部が設けられており、
さらに、前記開状態の前記第１トレイ及び前記第１給紙支持部により、用紙が載置される第１載置部が構成され、かつ、前記開状態の前記第２トレイ及び前記第２給紙支持部により、用紙が載置される第２載置部が構成されることを特徴とする請求項１に記載の画像形成装置。
【請求項３】
前記搬送部は、前記第１給紙支持部及び前記第２給紙支持部の双方に外周を臨ませた給紙ローラを有しており、
さらに、前記第１給紙支持部は、その上に載置された用紙を前記給紙ローラに接触させるために用紙を前記給紙ローラに向けて上昇させる圧板を有していることを特徴とする請求項１ないし２のいずれか１項に記載の画像形成装置。
【請求項４】
前記第１トレイのストッパが設置床に接触することにより、前記第１トレイの開状態が保持されることを特徴とする請求項１ないし３のいずれか１項に記載の画像形成装置。
【請求項５】
前記第１トレイの回転軸、前記第２トレイの回転軸及び第２トレイのストッパは、装置筐体に設けられていることを特徴とする請求項１ないし４のいずれか１項に記載の画像形成装置。
【請求項６】
前記第２トレイの回転軸が前記第１トレイの回転軸よりも上側にあって、前記第１回転軸よりも内側に配置されていることにより、前記閉状態において前記第２トレイが前記閉状態にある前記第１トレイよりも前記装置筐体の内方側に位置することを特徴とする請求項１ないし５のいずれか１項に記載の画像形成装置。
【請求項７】
前記第２トレイの回転軸から当該第２トレイの先端までの寸法は、前記第１トレイの回転軸から当該第１トレイの先端までの寸法よりも小さいことを特徴とする請求項１ないし６のいずれか１項に記載の画像形成装置。
【請求項８】
前記第２トレイは、手差し給紙のためのトレイあることを特徴とする請求項１ないし７のいずれか１項に記載の画像形成装置。
【発明の詳細な説明】
【技術分野】
【０００１】
本発明は、画像形成装置に関するものである。
【背景技術】
【０００２】
例えば、特許文献１に記載の画像形成装置では、装置の小型化を図るために引出しタイプの給紙トレイではなく、装置の側面に設けられた揺動可能なカバーを給紙トレイとして利用している。
【先行技術文献】
【特許文献】
【０００３】
【特許文献１】特開２０１０−０６６７７７号公報
【発明の概要】
【発明が解決しようとする課題】
【０００４】
しかし、特許文献１に記載の画像形成装置には、通常の画像形成装置に備えられている第２給紙機構をなす手差し給紙機構が備えられていない。このため、特許文献１に記載の画像形成装置では、装置側面から外方に延びた状態のカバーを給紙トレイとし、装置の側面に沿って立ち状態にしてカバーを収納するため、手差し給紙機構を設けようとすると、手差し用紙を支持するために所定長さの手差しガイドを設置することが困難である。
【０００５】
本発明は、上記点に鑑み、装置側面から外方に延びた状態のカバー等を第１給紙トレイとして使用するとき、第２給紙トレイ（例えば、手差し用紙を支持するために所定長さの手差しガイド）を設置することができ、かつ、第１給紙トレイを装置の側面に沿って収納するときに、第２給紙トレイも収納することができる画像形成装置を提供することを目的とする。
【課題を解決するための手段】
【０００６】
本願発明は、上記目的を達成するために、用紙に画像を形成する画像形成部（５）及びその画像形成部（５）に用紙を供給する搬送部（１５）が内蔵された装置筐体（３）と、装置筐体（３）の側面（Ｓ１）に、ほぼ水平軸線の周りに回転可能に設けられ、側面（Ｓ１）から外方に延びた開状態と側面（Ｓ１）に沿った閉状態との間で回転可能な第１トレイ（７）と、側面（Ｓ１）に、第１トレイ（７）の水平軸線よりも上方でかつその水平軸線とほぼ平行な水平軸線の周りに回転可能に設けられ、第１トレイ（７）よりも上方で側面（Ｓ１）から外方に延びた開状態と側面（Ｓ１）に沿った閉状態との間で回転可能な第２トレイ（９）とを備え、第１トレイ（７）及び第２トレイ（９）は、それぞれ開状態で、画像形成部（５）に供給される用紙を載置することが可能であり、さらに、第２トレイ（９）は、閉状態で、閉状態にある第１トレイ（７）よりも装置筐体（３）の内方側に位置することを特徴とする。
【０００７】
これにより、本願発明では、装置筐体（３）の側面（Ｓ１）から外方に延びた状態で画像形成前の用紙を載置する第１トレイ（７）を使用するときに、第２トレイ（９）を側面（Ｓ１）から開き開状態とすることで、第２トレイ（９）を設置することができるため、第２トレイ（９）として別部材を装着するなどの手間を必要とせずに容易に第２トレイ（９）を設置することができる。
【０００８】
また、第１トレイ（７）を装置筐体（３）の側面（Ｓ１）に沿って収納するときに、第２トレイ（９）を第１トレイ（７）よりも装置筐体（３）の内方側に収納することができる。このため、第２トレイ（９）が装置筐体から外側に突出させることなく収納することができるので装置の小型化を図ることができる。
【０００９】
また、搬送部（１５）は、装置筐体（３）内のうち閉状態の第２トレイ（９）を挟んで側面（Ｓ１）と反対側に配置され、装置筐体（３）内には、第１トレイ（７）の開状態においてその第１トレイ（７）の延長方向に搬送部（１５）に向けて延びる第１給紙支持部（１１Ａ）、及び第２トレイ（９）の開状態においてその第２トレイ（９）の延長方向に搬送部（１５）に向けて延びる第２給紙支持部（１３Ａ）が設けられており、さらに、開状態の第１トレイ（７）及び第１給紙支持部（１１Ａ）により、用紙が載置される第１載置部（１１）が構成され、かつ、開状態の第２トレイ（９）及び第２給紙支持部（１３Ａ）により、用紙が載置される第２載置部（１３）が構成されることを特徴とする。
【００１０】
これにより、装置筐体の奥行き方向（第１トレイ（７）から搬送部（１５）へ向かう方向）の寸法を、用紙の載置に有効に使用することができるので、第１トレイ（７）及び第２トレイ（９）の長さを小さくでき、画像形成装置を小型化できる。
【００１１】
また、画像形成部（５）は、第１給紙支持部（１１Ａ）及び第２給紙支持部（１３Ａ）の上方側に配置されていることを特徴とする。
また、第１トレイ（７）が開状態から閉状態へ回転する作動に連動して第２トレイ（９）を開状態から閉状態へ回転する連動機構（７Ｃ、１７）を有していることを特徴とする。
【００１２】
これにより、第１トレイ（７）及び第２トレイ（９）が開放位置にある状態から収納されるときに、第１トレイ（７）を収納する作動に連動して第２トレイ（９）も収納されるので、それぞれを別々に収納させる必要がなく、ユーザの利便性を向上させることができる。
【００１３】
また、連動機構（７Ｃ、１７）として、第１トレイ（７）の回転領域内に第２トレイ（９）の回動領域が含まれるようにしたことを特徴とする。
これにより、第１トレイ（７）を収納位置へ回転させるときに、第１トレイ（７）と第２トレイ（９）が接触し、第１トレイ（７）が第２トレイ（９）を収納位置に収納させるので、簡易な構成で第１トレイ（７）と第２トレイ（９）を連動させることができる。
【００１４】
また、連動機構は、第１トレイ（７）に設けられた第２トレイ（９）へ向けて突出した突起（７Ｃ）により構成されており、さらに、突起（７Ｃ）は、第１トレイ（７）が閉状態に向け回転するときに、第２トレイ（９）を閉状態に向け押圧することを特徴とする。
【００１５】
これにより、第１トレイ（７）を閉じる動作によって、突起（７Ｃ）と第２トレイ（９）を接触させ、第２トレイを突起（７Ｃ）で押圧することができるので、第１トレイ（７）の閉じる動作に連動させて第２トレイ（９）を収納することができる。また、突起（７Ｃ）によって第２トレイ（９）を側面（Ｓ１）側に押圧するので、第１トレイ（７）を開くときに、第２トレイ（９）が勝手に開くことを抑制できる。
【００１６】
また、連動機構は、第１トレイ（７）と第２トレイ（９）とを、回転方向に一体に連動するように連結するリンクであることを特徴とする。
また、搬送部（１５）は、第１給紙支持部（１１Ａ）及び第２給紙支持部（１３Ａ）の双方に外周を臨ませた給紙ローラ（１５Ａ）を有しており、さらに、第１給紙支持部（１１Ａ）は、その上に載置された用紙を給紙ローラ（１５Ａ）に接触させるために用紙を給紙ローラ（１５Ａ）に向けて上昇させる圧板（１１Ｂ）を有していることを特徴とする。
【００１７】
これにより、第１トレイ（７）に載置された用紙又は第２トレイ（９）に載置された用紙を一つの給紙ローラで給紙することができるため、より簡易な構成で給紙することができ、装置の小型化を図ることができる。
【００１８】
さらに、装置筐体（３）は、その上面に画像形成が終了した用紙が載置される排紙トレイ（３Ｃ）、及び排紙トレイ（３Ｃ）に向け用紙を排紙するよう開口する排紙口（３Ｂ）を有しており、さらに、排紙口（３Ｂ）は、水平方向において、装置筐体のうち第１トレイ（７）及び第２トレイ（９）と反対側の位置に設けられ、かつ、第１トレイ（７）及び第２トレイ（９）側に開口していることを特徴とする。
【００１９】
これにより、画像形成済み用紙を第１トレイ（７）又は第２トレイ（９）と同一側に排出することができるので、ユーザが用紙のセットをしやすく画像形成後の用紙の取り出しも容易にできるので、ユーザの利便性を向上させることができる。
【００２０】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００２１】
【図１】本発明の第１実施形態に係る画像形成装置１の中央断面図である。
【図２】本発明の第２実施形態に係る画像形成装置１の中央断面図である。
【発明を実施するための形態】
【００２２】
以下に本発明の実施形態を図面と共に説明する。
（第１実施形態）
本実施形態はモノクロ方式の画像形成装置に本発明を適用したものであり、以下に本実施形態を図面と共に説明する。
【００２３】
１．画像形成装置の概要
画像形成装置１の筐体３内には、図１に示すように、記録用紙やＯＨＰシート等の記録シート（以下、用紙という。）に画像を形成する電子写真方式の画像形成部５が収納されており、この画像形成部５は、感光ドラム５Ａに担持された現像剤像（トナー像）を用紙に転写することにより用紙に画像を形成する。
【００２４】
また、画像形成部５の下方側には、画像形成部５に搬送される用紙が載置される第１載置部１１及び第２載置部１３が配置されており、第１載置部１１及び第２載置部１３に載置された用紙は、給紙部１５により１枚ずつ分離されて画像形成部５に送り出される。
【００２５】
そして、給紙部１５から画像形成部５に送出されて画像形成が終了した用紙は、排紙口３Ｂから排出された後、筐体３の上面に設定された排紙トレイ３Ｃに載置される。
なお、排紙口３Ｂは、画像形成部５より上方側かつ画像形成装置１の後面側（後述するカバートレイ７及びＭＰトレイ９の反対側）に配置され、かつ、画像形成装置１の前面側（後述するカバートレイ７及びＭＰトレイ側）に向けて開口している。排紙トレイ３Ｃは排紙口３Ｂより前面側に配置されている。
【００２６】
２．本実施形態に係る画像形成装置の特徴的構造
筐体３の水平方向一端側（本実施形態では、前面側）の側面には、画像形成部５に用紙を給紙するための開口部３Ａが設けられており、この開口部３Ａを覆うカバートレイ７は、筐体３の下端側に配置された回転軸７Ａを回転中心として、開口部３Ａを覆うように閉塞する閉状態と開口部３Ａを開放する開状態との間で回転できる。
【００２７】
そして、回転軸７Ａの軸方向は、開口部３Ａの開口方向（本実施形態では、前後方向）に対して直交する水平方向（図１では紙面と直交する方向）となっている。なお、以下、カバートレイ７が開状態にあるときの開口部３Ａの開口面を仮想平面として側面Ｓ１という。側面Ｓ１は、カバートレイ７が閉状態にあるときの画像形成部５側の面である。
【００２８】
因みに、カバートレイ７が側面Ｓ１から外方（前方）側に延びて開口部３Ａが開放された状態（図１の二点鎖線で示す状態）をカバートレイ７が開いた開状態といい、カバートレイ７が側面Ｓ１に沿った状態となって開口部３Ａが覆われた状態（図１の実線で示す状態）をカバートレイ７が閉じた閉状態という。
【００２９】
また、筐体３内のうち画像形成部５と閉状態のカバートレイ７との間には、開状態と閉状態との間で回転可能であって、開状態で画像形成部５に供給される用紙を載置可能なマルチパーパストレイ（以下、ＭＰトレイ９）が設けられている。
【００３０】
このＭＰトレイ９の回転軸９Ａは、その軸方向が開口部３Ａの開口方向（本実施形態では、前後方向）に対して直交する水平方向、つまり回転軸７Ａの軸方向と平行な方向と一致するように設定されている。
【００３１】
そして、カバートレイ７の回転軸７Ａ及びＭＰトレイ９の回転軸９Ａ及びＭＰトレイ９の開状態を保持するストッパ９Ｂは、筐体３に設けられている。ＭＰトレイ９は、開状態のときの下面をストッパ９Ｂに当接することで、開状態で設置床と平行な状態で保持される。
【００３２】
なお、カバートレイ７の先端側には、カバートレイ７を開閉する際にユーザにより把持される開閉ノブ７Ｂが設けられており、この開閉ノブ７Ｂが画像形成装置１の設置床に接触することにより、カバートレイ７を設置床と平行な開状態で保持される。
【００３３】
また、回転軸９Ａは、回転軸７Ａより上方側であって、回動軸７Ａより内方（画像形成部５）側に配置されている。よって、閉状態においてＭＰトレイ９はカバートレイ７よりも内方側に配置される。また、回転軸９ＡからＭＰトレイ９の先端までの寸法Ｈ２は、回転軸７Ａからカバートレイ７の先端までの寸法Ｈ１より小さい寸法に設定されている。
【００３４】
このため、カバートレイ７の回転領域θ１内にＭＰトレイ９の回動領域θ２が含まれた状態となるので、カバートレイ７が閉じた状態となった場合には、ＭＰトレイ９は、カバートレイ７より内方側に位置して筐体３内に収納され、かつ、カバートレイ７により覆われた状態となる。
【００３５】
また、カバートレイ７の幅方向（回転軸７Ａと平行な方向）両端側には、ＭＰトレイ９側に向けて突出した押圧突起７Ｃが設けられている。このため、カバートレイ７が開状態から閉状態に向けて回転すると、押圧突起７Ｃが開状態のＭＰトレイ９に当接してＭＰトレイ９が閉じる向きに押圧されるので、ＭＰトレイ９は、カバートレイ７が開状態から閉状態へ回転する作動に連動して開状態から閉状態へ回転する。
【００３６】
つまり、カバートレイ７の回転領域θ１内にＭＰトレイ９の回動領域θ２が含まれるため、押圧突起７Ｃは、カバートレイ７を開状態から閉状態へ回転する作動に連動させてＭＰトレイ９を開状態から閉状態へ回転させる連動機構として機能する。
【００３７】
また、給紙部１５は給紙ローラ１５Ａ及び分離パッド１５Ｂ等から構成されており、給紙ローラ１５Ａは、筐体３内のうち閉状態のＭＰトレイ９を挟んで側面Ｓ１と反対側、つまり側面Ｓ１より画像形成部５側に配置されているとともに、第１載置部１１又は第２載置部１３に載置された用紙に接触して用紙に搬送力を付与する。分離パッド１５Ｂは、給紙ローラ１５Ａと対向する位置に配置されて用紙に搬送抵抗を付与する。
【００３８】
このため、給紙ローラ１５Ａが回転すると、給紙ローラ１５Ａと接触している用紙は給紙ローラ１５Ａから搬送力を受けて画像形成部５側に送出されるが、この送出される用紙より分離パッド１５Ｂ側の用紙は、分離パッド１５Ｂから搬送抵抗を受けて送出されることなく止まるので、１枚ずつ用紙が画像形成部５側に給紙される。
【００３９】
ところで、カバートレイ７は開状態となったときに第１載置部１１の一部を構成し、ＭＰトレイ９は開状態となったときに第２載置部１３の一部を構成するものであり、第２載置部１３は第１載置部１１より上方側に設定されている。
【００４０】
そして、筐体３内には、カバートレイ７が開状態であるときのカバートレイ７の延長方向（本実施形態では、前後方向）に給紙部１５側まで延びる第１給紙支持部１１Ａが設けられており、この第１給紙支持部１１Ａ及び開状態のカバートレイ７により第１載置部１１が構成されている。
【００４１】
同様に、筐体３内には、ＭＰトレイ９が開状態であるときのＭＰトレイ９の延長方向（本実施形態では、前後方向）に給紙部１５側まで延びる第２給紙支持部１３Ａが設けられており、この第２給紙支持部１３Ａ及び開状態のＭＰトレイ９により第２載置部１３が構成されている。
【００４２】
因みに、カバートレイ７（第１載置部１１）は、画像形成に用いる主たる用紙が載置される部位であり、カバートレイ７には、ＭＰトレイ９（第２載置部１３）より多くの枚数の用紙を載置することができる。一方、ＭＰトレイ９は、カバートレイ７に比べて多目的な用途（例えば、手差し給紙）を意図した給紙トレイである。
【００４３】
ところで、本実施形態では、第１載置部１１は第２載置部１３より下方側に設定され、かつ、１つの給紙部１５（給紙ローラ１５Ａ）にて第１載置部１１又は第２載置部１３に載置された用紙を給紙する構成とすべく、以下の構成を採用している。
【００４４】
すなわち、第２給紙支持部１３Ａを不動として、給紙ローラ１５ＡをＭＰトレイ９が開状態であるときのＭＰトレイ９の延長方向上に配置するとともに、第１給紙支持部１１Ａの一部に圧板１１Ｂを設け、この圧板１１Ｂにより、第１載置部１１に載置された用紙を給紙ローラ１５Ａに向けて上昇させる。
【００４５】
これにより、第１載置部１１に載置された用紙を給紙ローラ１５Ａに接触させることができ、第１給紙支持部１１Ａ及び第２給紙支持部１３Ａ双方が、側面Ｓ１側から給紙ローラ１５Ａを臨む位置まで延びた構成となる。
【００４６】
因みに、圧板１１Ｂは、電動モータ等のアクチュエータ（図示せず。）によりその上昇作動が制御されている。そして、第２載置部１３用の用紙センサ（図示せず。）により第２載置部１３に用紙が載置されていると判断されると、圧板１１Ｂが降下し、第２載置部１３に載置されている用紙のみが給紙ローラ１５Ａと接触可能な状態となる。一方、第２載置部１３に用紙が載置されていないと判断されると、圧板１１Ｂが上昇し、第１載置部１１に載置されている用紙が給紙ローラ１５Ａと接触可能な状態となる。
【００４７】
３．本実施形態に係る画像形成装置の特徴
本実施形態では、ＭＰトレイ９が閉状態にあるとき、ＭＰトレイ９は閉状態にあるカバートレイ７よりも筐体３の内方側に位置するので、側面Ｓ１から外方に延びた状態のカバートレイ７を使用するときであっても、ＭＰトレイ９を設置することができるとともに、カバートレイ７を側面Ｓ１に沿って収納するときに、ＭＰトレイ９をカバートレイ７よりも筐体３の内方側に収納することができる。
【００４８】
また、本実施形態では、開状態のカバートレイ７及び筐体３内に設けられた第１給紙支持部１１Ａにより第１載置部１１が構成され、かつ、開状態のＭＰトレイ９及び筐体３内に設けられた第２給紙支持部１３Ａにより第２載置部１３が構成されているので、筐体３の奥行き方向（カバートレイ７から給紙部１５へ向かう方向）の寸法を、用紙の載置に有効に使用することができる。延いては、カバートレイ７及びＭＰトレイ９の長さを小さくできるので、画像形成装置１を小型化できる。
【００４９】
また、本実施形態では、カバートレイ７が開状態から閉状態へ回転する作動に連動してＭＰトレイ９を開状態から閉状態へ回転させる押圧突起７Ｃ（連動機構）を有しているので、カバートレイ７及びＭＰトレイ９が開放位置にある状態から収納されるときに、カバートレイ７を収納すると同時にＭＰトレイ９も収納されこととなる。したがって、それぞれを別々に収納させる必要がないので、ユーザの利便性を向上させることができる。
【００５０】
また、本実施形態では、第１給紙支持部１１Ａには、その上に載置された用紙を給紙ローラ１５Ａに接触させるための圧板１１Ｂを有しているので、カバートレイ７に載置された用紙又はＭＰトレイ９に載置された用紙を一つの給紙ローラで給紙することができる。
【００５１】
また、本実施形態では、排紙口３Ｂは、水平方向において、筐体３のうちカバートレイ７及びＭＰトレイ９と反対側の位置に設けられ、かつ、カバートレイ７及びＭＰトレイ９側に開口しているので、画像形成済み用紙をカバートレイ７又はＭＰトレイ９と同一側に排出することができ、ユーザの利便性を向上させることができる。
【００５２】
４．発明特定事項と実施形態との対応関係
本実施形態では、カバートレイ７が特許請求の範囲に記載された第１トレイに相当し、ＭＰトレイ９が特許請求の範囲に記載された第２トレイに相当する。
【００５３】
（第２実施形態）
第１実施形態では、押圧突起７Ｃにより特許請求の範囲に記載された連動機構を構成したが、本実施形態は、図２に示すように、カバートレイ７とＭＰトレイ９とを回転方向に一体に連動するように連結するリンク１７により、特許請求の範囲に記載された連動機構を構成したものである。
【００５４】
因みに、第１実施形態に係る画像形成装置１では、カバートレイ７が開状態から閉状態へ回転する作動のみに連動してＭＰトレイ９が開状態から閉状態へ回転するものであったが、本実施形態では、カバートレイ７が開状態から閉状態へ回転する場合、及びカバートレイ７が閉状態から開状態へ回転する場合のいずれの場合に対してもＭＰトレイ９が連動して回転する。
【００５５】
（その他の実施形態）
上述の実施形態では、モノクロ方式の画像形成装置に本発明を適用したが、本発明の適用はこれに限定されるものではない。
【００５６】
また、上述の実施形態では、いわゆる「Ｃパス」と呼ばれるタイプの用紙搬送経路を有する画像形成装置に本発明を適用したが、本発明の適用はこれに限定されるものではない。
【００５７】
また、上述の実施形態では、カバートレイ７を主たる給紙トレイとした画像形成装置に本発明を適用したが、本発明の適用はこれに限定されるものではない。
また、本発明は、特許請求の範囲に記載された発明の趣旨に合致するものであればよく、上述の実施形態に限定されるものではない。
【符号の説明】
【００５８】
１…画像形成装置、３…筐体、３Ａ…開口部、３Ｂ…排紙口、３Ｂ…排紙口、
３Ｃ…排紙トレイ、５…画像形成部、５Ａ…感光ドラム、７…カバートレイ、
７Ａ…回転軸、７Ｂ…開閉ノブ、７Ｃ…押圧突起、９…ＭＰトレイ、
９Ａ…回転軸、９Ｂ…ストッパ、１１…第１載置部、１１Ａ…第１給紙支持部、
１１Ｂ…圧板、１３…第２載置部、１３Ａ…第２給紙支持部、１５…給紙部、
１５Ａ…給紙ローラ、１５Ｂ…分離パッド。
【図１】
0005626031.tif 000002
【図２】
0005626031.tif 000003